(57)【要約】【課題】電池の充電状況を表示でるとともに広告情報も併せて表示できること。【解決手段】充電機本体および表示手段を含み、充電機本体は、投捨手段、プローブモジュール、収納機構、電池投入口、制御パネル、コンイン投入口および取出口を設け、投捨手段は、治具を設けた平台で、平台が平台が２層の直交する伝動機構上に設けられ、投捨手段の下方に収納機構が設けられ、収納機構は複数の収納室からなり、平台はプローブモジュールを設け、プローブモジュールは、複数のプローブ、検出回路、充電回路及び制御ＩＣからなり、各プローブがいずれも検出回路および充電回路に接続され、表示手段は、制御回路、再生モジュール及び表示ユニットを設け、制御回路は、充電機本体のプローブモジュールの検出回路および充電回路に電気的に接続され、再生モジュールは、制御回路にビデオ信号を転送し、表示ユニットを介して表示する。【選択図】図９
0003141679.tif 000002
【実用新案登録請求の範囲】
【請求項１】
充電機本体と、表示手段とを含む広告付き電池充電機であって、
前記充電機本体は、投捨手段、プローブモジュール、収納機構、電池投入口、制御パネル、コンイン投入口および取出口を具備し、
前記投捨手段は、治具を設けた平台であり、前記平台が伝動機構に可動に枢着され、前記伝動機構が、さらに他の伝動機構上に亘って設けられることによって、前記平台が２層の直交する伝動機構上に設けられ、
前記プローブモジュールは、複数のプローブを具備し、
これらの各プローブは、ベースに一体に形成したプローブ内にばねとともに可動的に配設され、各プローブがスリーブの頂部に設けられたスールホールに挿入され、
前記ベースは投捨手段の治具に設けられ、
各プローブを検出回路および充電回路に並列して接続し、
検出回路および充電回路は、さらに制御ＩＣに接続し、
充電回路およびプローブ間に電流保護回路が別に設けられ、
電源は、検出回路、制御ＩＣおよび充電回路に接続され稼働電力を提供し、
収納機構は複数の収納室からなり、前記収納室はスイッチで底の開閉が制御され、前記スイッチが充電機本体の制御パネルに接続され、
前記表示手段は制御回路、再生モジュール、及び表示ユニットを具備し、
前記制御回路は、充電機本体内部のプローブモジュールの検出回路及び充電回路に電気的に接続され、
制御回路にビデオ信号を転送できるように再生モジュールが制御回路に接続され、
前記表示ユニットは制御回路に電気的に接続されて制御回路で受信した信号を表示ユニットを介して表示させるように構成したことを特徴とする広告付き電池充電機。
【請求項２】
前記プローブモジュールが治具上に設けられた位置は、電池の充電端位置に合せて設けられることを特徴とする請求項１に記載の広告付き電池充電機。
【請求項３】
前記制御回路は、さらに、外部からビデオ信号を転送し制御するための転送インターフェースを設けていることを特徴とする請求項１に記載の広告付き電池充電機。
【請求項４】
前記転送インターフェースは、有線転送であることを特徴とする請求項３に記載の広告付き電池充電機。
【請求項５】
前記転送インターフェースは、無線転送であることを特徴とする請求項３に記載の広告付き電池充電機。
【請求項６】
前記再生モジュールは、ＤＶＤ／ＶＣＤ再生機、ハードディスク型再生機、カード読取型マルチメディア再生機のうちの何れか一つを用いて、ビデオ信号を転送することを特徴とする請求項１に記載の広告付き電池充電機。
【請求項７】
前記表示ユニットは、陰極射線管スクリーン、液晶ディスプレイ及び有機発光ダイオードディスプレイのうち何れか一つであることを特徴とする請求項１に記載の広告付き電池充電機。
【請求項８】
前記収納機構の各収納室の底部には、可動枢着した底板がそれぞれ連結され、各底板はスイッチで開閉を制御され、収納機構の下方に設けられた傾斜坂の下端が取出口までに延出していることを特徴とする請求項１に記載の広告付き電池充電機。
【請求項９】
前記収納機構の複数の収納室は引き出しのようになっていて、スイッチで制御して電池を取出しできることを特徴とする請求項１に記載の広告付き電池充電機。
【考案の詳細な説明】
【技術分野】
【０００１】
本考案は、広告付き電池充電機に係り、特に、充電機本体および表示手段の組合設計により、該表示手段の制御回路は、充電機本体のプローブモジュールの検出回路及び充電回路に電気的に接続され、電池を充電する時に表示手段により充電時間および広告情報を表示でき、携帯電話や、デジタルカメラなどの様々な携帯型電子製品の電池充電機或いは類似構造に適用可能な広告付き電池充電機に関するものである。
【背景技術】
【０００２】
科学技術の急速な発展に伴い、電子器材の多くは、その体積が大幅に減少されて、個人的に携帯し易くなりつつあるが、様々なメーカの操作方式が異なり、設計ニーズの違いがあるため、電池タイプや充電器はメーカ毎に異なっている。
【０００３】
今、個人で１台を保有する携帯電話を例に説明する。
一般に携帯電話は、電池が搭載され、さらに充電器が付いていて使用者が使用し易いようになっている。
使用者が室内に居るときに、携帯電話の電池の電力が無くなれば、充電器で電池にフル蓄電して継続的に使用できるが、使用者が充電するのを忘れていて、かつ丁度室外に居るときに電池の電力がなくなると、携帯電話を使用した通話やデータ検索等がきなくなる。
【０００４】
前記した問題を解決するため、電池充電機が提案されている。
電池充電機は室外にいる使用者にとっても携帯電話の電池に充電することができる。
電池充電機は、異なる種類の電池であっても、電池を識別して充電することができる。
しかしながら、電池が他人に盗られないようにするため、充電を完了するまでのあいだ使用者が電池充電機の傍で待たなければならず、電池充電機を使用する上で非常に不便であるといった欠点がある。
【０００５】
本考案は以上の点に鑑みて成されたもので、表示ユニットを介して充電時において電池の充電の進捗及び電池の関連情報を表示できるとともに、広告情報も見られる広告付き電池充電機を提供することにある。
【考案の開示】
【考案が解決しようとする課題】
【０００６】
本考案の主な目的は、充電機本体および表示手段の組合設計により、該表示手段は制御回路を設け、該制御回路は充電機本体のプローブモジュールに電気的に接続され、表示手段の表示ユニットで表示することにより電池充電進捗及び電池関連情報を知ることができ、本考案の便利性を向上させる広告付き電池充電機を提供することにある。
【０００７】
本考案の次の目的は、充電機本体および表示手段の組合設計により、該表示手段は再生モジュールを設け、該再生モジュールは制御回路に接続され、電池を充電する時に、該制御回路は表示ユニットにビデオ信号を転送し、表示ユニットに広告情報を再生し、使用者は電池充電を待つ間に見ることができ、本考案の実用性を向上させる広告付き電池充電機を提供することにある。
【課題を解決するための手段】
【０００８】
前記目的を達成するために、本考案は、充電機本体および表示手段を含む。前記充電機本体は、投捨手段、プローブモジュール、収納機構、電池投入口、制御パネル、コンイン投入口および取出口を設け、前記投捨手段は、治具を設けた平台で、前記平台が伝動機構に可動に枢着され、前記伝動機構が、さらに他の伝動機構上に亘って設けられ、前記平台が２層の直交する伝動機構上に設けられるようになり、前記投捨手段の下方に収納機構が設けられ、前記収納機構は複数の収納室からなり、また、前記平台はプローブモジュールを設け、前記プローブモジュールは、複数のプローブ、検出回路、充電回路及び制御ＩＣからなり、これらのプローブモジュールは、ベース上に緻密的に設けられ、かつ、プローブ毎がいずれも検出回路および充電回路に接続され、前記表示手段は、制御回路、再生モジュール及び表示ユニットを設け、前記制御回路は、充電機本体のプローブモジュールの検出回路および充電回路に電気的に接続され、前記再生モジュールは制御回路に接続され、制御回路にビデオ信号を転送し、前記表示ユニットは制御回路に電気的に接続され、制御回路内に受信した信号を表示ユニットを介して表示させることによって、全体には電池充電状況を表示し並びに広告情報を見ることができる。
【考案の効果】
【０００９】
本考案は、充電機本体および表示手段の組合せにより、表示手段である表示ユニットを介して電池の充電の進捗度合いや電池の関連情報を表示することができて、便利性を向上させることができる。
さらに使用者が電池の充電を待つ間に広告を見ることができるように、表示ユニットに広告情報を再生することができる。
【考案を実施するための最良の形態】
【００１０】
以下、図面を参照しながら本考案に係る実施玲について説明する。
図１〜図９に示すように、本考案に係る広告付電池充電機は、充電機本体７および表示手段９を含む。
【００１１】
図８に示すように、充電機本体７は、投捨手段１、プローブモジュール３、収納機構５、電池投入口７１、制御パネル７４、コンイン投入口および取出口７３を設ける。
該投捨手段１は、治具を設けた平台１０で、該平台１０が伝動機構１４に可動に枢着される。
さらに他の伝動機構１５上に亘って伝動機構１４が設けられる。
図１に示すように平台１０は２層の直交する伝動機構１４、１５上に設けられる。
図４に示すようにプローブモジュール３は、主に、複数のプローブ３１を具備する。
これらのプローブ３１は、ベース３０に可動的に結合される。
ベース３０は、上記投捨手段１の治具上に設けられる。
図５に示すように各プローブ３１は、頂部にスールホールが設けられたスリーブ３２内に挿入される。
さらに、プローブ３１の下方にばね３３を置いて、さらに内部にプローブ３１が挿入される。スリーブ３２はベース３０に一体に形成されている。
図６に示すように、各プローブ３１を検出回路３４および充電回路３５に並列に接続する。
検出回路３４および充電回路３５は、さらに制御ＩＣ３６に接続する。
また、充電回路３５およびプローブ３１間には電流保護回路３７が別に設けられる。
電源４０は、検出回路３４、制御ＩＣ３６および充電回路３５に接続されて稼働電力を提供する。
図２に示すように、収納機構５は複数の収納室５０からなる。
図１に示すように、収納室５０はスイッチで開閉を制御し、スイッチが充電機本体７の制御パネル７４に接続される。
【００１２】
収納機構５の各収納室５０の底部には、底板５１が可動可能に枢着されている。
各底板５１はスイッチで開閉を制御される。
スイッチは充電機本体７の制御パネル７４に接続されている。
収納機構５の下方には傾斜坂７２が設けられている。
傾斜坂７２の下端が取出口７３までに延出される（図８を参照する）。これは本考案の最適な実施方式である。
また、収納機構５を構成する複数の収納室５０は、制御パネル７４のスイッチで制御する。
収納機構５は複数の収納室５０が充電機本体７に露出した引き出しの態様になっている。投捨手段１は充電機本体７内を進退できるようになっている。
また充電機本体７の取出口７３に開き扉を設け、使用者がこの開き扉を開けることで電池６を取り出すようにしてもよい（図示せず）。
【００１３】
図９に示すように表示手段９は、充電機本体７の外側に設けられる。
本実施例では、表示手段９の上に充電機本体７を搭載した場合について示すが、表示手段９及び充電機本体７を１つの機体上に整合して設けるようにしてもよい（図示せず）。
表示手段９は、制御回路９１、転送インターフェース９１１、再生モジュール９２、及び表示ユニット９３を具備する。
制御回路９１は、充電機本体７内部のプローブモジュール３の検出回路３４及び充電回路３５に電気的に接続される。
制御回路９１は、プローブモジュール３の検出回路３４及び充電回路３５の信号を受信でき、電池６を充電する時の状況及び電池６の関連情報を知ることができる。
また、制御回路９１は、転送インターフェース９１１を設ける。
転送インターフェース９１１は、有線転送方式、例えば、ＵＳＢ接続ポート、ＩＥＥＥ１３９４接続ポート、ネットワーク接続ポート、ＶＧＡ／ＴＶ接続ポート等のうち何れか一つである。
また、転送インターフェース９１１は、無線転送方式、例えば、無線ネットワーク８０２．１１x、Ｂｌｕｅ-ｔｏｏｔｈ、赤外線転送、Ｗｉ-Ｆｉ転送等のうちの何れか一つを適用できる。
転送インターフェース９１１が有線／無線方式で外部の信号と接続し、信号を制御回路９１内に転送させる。
また、再生モジュール９２は、制御回路９１に接続される。
再生モジュール９２について本実施例では、ＤＶＤ／ＶＣＤ再生機を採用しているが、ハードディスク型再生機、カード読取型マルチメディア再生機等のうち何れか一つを採用してもよい。
制御回路９１にビデオ信号を転送させるように構成する。
また、表示ユニット９３は制御回路９１に電気的に接続される。
制御回路９１内に受信した信号および再生モジュール９２のビデオ信号を表示ユニット９３を介して表示させる。
表示ユニット９３を本実施例では、液晶ディスプレイ（Liquid Crystal Display:ＬＣＤ）を採用しているが、陰極射線管スクリーン（Cathode Ray Tube:ＣＲＴ）や有機発光ダイオードディスプレイ（Organic Light-Emitting Diode:ＯＬＥＤ）等のうちの何れか一つを採用してもよい。
【００１４】
図８に示すように、充電機を使用する場合は、先ず、充電機本体７の制御パネル７４を介して収納機構５のある一つの収納室５０を選定するとともに、制御パネル７４で該収納室５０の底板５１を起動する伸縮レバースイッチ５２の暗証番号、及び充電時間を設定する。
これらの設定作業を完了すると、コンインをコンイン投入口内に投入する。
さらに、充電予定の電池６を電池投入口７１から充電機本体７内に投入する。
電池６を投入する際には、充電機本体７の指示に従う。例えば、接触端子を前方向にして上向きとしたり、或いは接触端子を下向きにする等の指示に従って行なう。
投入された電池６は投捨手段１のＬ字台座１１までに滑る。
Ｌ字台座１１の上の押え板１１１で電池６を押し付けて固定する。
これにより電池６の充電端子がプローブモジュール３のプローブ３１に接触する。
図７に示すように、検出回路３４の設置がともに同じであるため、Ｐ１、Ｐ２の２本のプローブ３１を例に説明する。
そのうち、Ｐ１、Ｐ２の２本のプローブ３１の上方に、トランジスタＱ５、Ｑ６及び他の組のトランジスタＱ１、ダイオードＤ１及びトランジスタＱ３、ダイオードＤ３が連設されている。
Ｐ１、Ｐ２の２本のプローブ３１の下方には、１組のトランジスタＱ２、ダイオードＤ２及びトランジスタＱ４、ダイオードＤ４が接続されている。
【００１５】
トランジスタＱ１、Ｑ２、Ｑ３、Ｑ４、Ｑ６がともにオフ、トランジスタＱ５がオンであると、ＶDet＝ＶBat−Ｖ（Ｑ５）−ＶD4≒ＶBat−０．７Ｖであるため、パッドの電圧降下が０．６〜０．７Ｖ減少されることが分かる。
即ち、Ｐ１プローブ３１が電池６の正極に接続されると見なす。
トランジスタＱ１、Ｑ２、Ｑ３、Ｑ６がともにオフ、トランジスタＱ４、Ｑ５がオンであると、ＶDet＝ＶBat−Ｖ（Ｑ５）−Ｖ（Ｑ４）≒ＶBat−０．１Ｖであるため、パッドの電圧降下が０．１Ｖだけが減少されることが分かる。
即ち、Ｐ２プローブ３１が電池６の負極に接続されると見なし、電池６の正極、負極を検出する。電池６の正しい電極を把握した後に、充電回路３５は、必要とする電源４０を提供して電池６を充電することができる。
【００１６】
電池6を充電しているときに、表示手段９の制御回路９１は、プローブモジュール３の検出回路３４及び充電回路３５の信号を受信する。
表示ユニット９３は、電池６の充電状況及び電池６の関連情報を表示する。
使用者は、表示ユニット９３によりどのぐらいの時間で電池６の充電を終了できるかを知ることができるる。
再生モジュール９２は、同時に予め録画した広告情報を再生して、表示ユニット９３により表示することで、広告を使用者に見せる。
【００１７】
制御回路９１は、転送インターフェース９１１を別に設け、外部からビデオ信号を制御回路９１に転送させるか、或いは外部から転送インターフェース９１１を介して表示手段９を制御できる。
転送インターフェース９１１は、有線転送方式で、例えば、ＵＳＢ接続ポート、ＩＥＥＥ１３９４接続ポート、ネットワーク接続ポート、ＶＧＡ／ＴＶ接続ポート等を採用できる。
また、転送インターフェース９１１は、無線転送方式、例えば、無線ネットワーク802．11x、Ｂｌｕｅ-ｔｏｏｔｈ、赤外線転送、Ｗｉ-Ｆｉ転送等を採用してもよい。
転送インターフェース９１１を介して有線／無線方式で制御回路９１内に転送することにより、外部からビデオ信号を制御回路９１に転送して、表示ユニット９３により表示する。
このように本考案は、使用者が電池６の充電を待つ間に、表示ユニット９３に電池６の充電の進捗度合いを同時に表示できるだけでなく、電池６が現在まで既に充電した回数、使用状況、健康度、及び使用寿命等の情報を知らせるとともに、広告情報（再生モジュール９２または転送インターフェース９１１の有線／無線方式で転送した広告信号）を見せることもできる。
充電が終了時間になると、平台１０が、２つの伝動機構１４、１５により、設定された収納室５０の上方に移動し、押え板１１１が上昇した後、Ｌ字台座１１が下へ回転する。
Ｌ字台座１１に置かれた電池６を設定した収納室５０内に滑落させる。
表示ユニット９３は、電池６の充電を完了したことを表示する。
充電機本体７は、さらに次の他の電池６の充電動作を実行する。
電池６の所有者が、充電の完了した電池６を受け取ろうとするときには、暗証番号を制御パネル７４に入力すると、伸縮レバースイッチ５２を作動制御して、底板５１を開け、設定された収納室５０内の電池６を落下させる。
落下した電池６は、傾斜坂７２に沿って底部までに滑り落ちる。
電池６の所有者は取出口７３から電池６を取り出すことができる。
【００１８】
本考案に係る広告付き電池充電機の特徴は、充電機本体７および表示手段９の組合により、表示手段９は制御回路９１を設け、制御回路９１は、充電機本体７のプローブモジュール３の検出回路３４及び充電回路３５に電気的に接続され、表示手段９の表示ユニット９３により電池６の充電の進捗及び電池６の関連情報を知ることができる。
また、表示手段９は再生モジュール９２を設け、再生モジュール９２は、DVD/VCD再生機、ハードディスク型再生機、カード読取型マルチメディア再生機などのうち何れか一つを採用しており、再生モジュール９２は、制御回路９１に接続され、ビデオ信号を転送させるとともに、表示ユニット９３を介して広告情報を再生して、使用者が電池６の充電を待つ間に、同時に電池６の充電進捗を知りながら広告情報を見ることができる。
また、転送インターフェース９１１は、有線転送方式または無線転送方式であってもよい、外部の広告情報を制御回路９１内に転送させ、その便利性および実用性を増進させることができる。
【００１９】
以上は単に本考案の実施例を説明するための記載に過ぎず、本考案の特徴を限定するものではない。当業者が適宜行なう変換や修飾等も本考案に含まれるべきことは言うまでもないことである。
【図面の簡単な説明】
【００２０】
【図１】本考案の投捨手段を示す外観斜視図である。
【図２】本考案の収納機構を示す外観斜視図である。
【図３】本考案の単一の収納室を示す拡大素子分解図である。
【図４】本考案のプローブモジュールを示す外観斜視図である。
【図５】本考案の単一プローブの組合を示す断面図である。
【図６】本考案のプローブモジュールを示す回路ブロック図である。
【図７】本考案の検出回路の一部の詳細を示す回路図である。
【図８】本考案の実施例の使用状態を示す図である。
【図９】本考案の実施例を示す外観斜視図である。
【符号の説明】
【００２１】
１・・・・・・投捨手段
１０・・・・・平台
１０１・・・・凹溝
１１・・・・・Ｌ字台座
１１１・・・・押え板
１１２・・・・ギヤ
１２・・・・・モータ
１２１・・・・モータ軸ギヤ
１３・・・・・モータ
１３１・・・・モータ軸ギヤ
１４・・・・・伝動機構
１４１・・・・凸レール
１４２・・・・ジグザグレール
１４３・・・・モータ
１４４・・・・モータ軸ギヤ
１５・・・・・伝動機構
１５１・・・・ジグザグレール
３・・・・・・プローブモジュール
３０・・・・・ベース
３１・・・・・プローブ
３２・・・・・スリーブ
３３・・・・・ばね
３４・・・・・検出回路
３５・・・・・充電回路
３６・・・・・制御ＩＣ
３７・・・・・電流保護回路
４０・・・・・電源
５・・・・・・収納機構
５０・・・・・収納室
５１・・・・・底板
５２・・・・・伸縮レバースイッチ
６・・・・・・電池
７・・・・・・充電機本体
７１・・・・・電池投入口
７２・・・・・傾斜坂
７３・・・・・取出口
７４・・・・・制御パネル
９・・・・・・表示手段
９１・・・・・制御回路
９１１・・・・転送インターフェース
９２・・・・・再生モジュール
９３・・・・・表示ユニット
【図１】
0003141679.tif 000003
【図２】
0003141679.tif 000004
【図３】
0003141679.tif 000005
【図４】
0003141679.tif 000006
【図５】
0003141679.tif 000007
【図６】
0003141679.tif 000008
【図７】
0003141679.tif 000009
【図８】
0003141679.tif 000010
【図９】
0003141679.tif 000011